(57)【要約】【課題】記憶装置に記憶されている画像データの消去に際して、消去処理時間を短くして、装置の生産性を向上した画像処理装置等を提供する。【解決手段】画像データをＪＢＩＧ形式で圧縮された状態で記憶する不揮発性の記憶手段７を備える。前記記憶手段７に記憶されている消去対象の画像データを、その復元情報を有する各プレーンの先頭データのみを消去手段８により消去するか、あるいは画像データの復元情報を有する各プレーンの先頭データについての情報を管理する管理データを消去手段８により消去することにより、画像データを復元不可能とする。先頭データのみあるいは管理データを消去すればよいから、画像データの全領域を消去する場合に較べて消去処理時間が短縮される。【選択図】  図６
2005204269.tif 000002
【特許請求の範囲】
【請求項１】
画像データをＪＢＩＧ形式で圧縮及び伸張が可能な圧縮・伸張手段と、
前記圧縮・伸張手段によりＪＢＩＧ形式で圧縮された画像データを記憶する不揮発性の記憶手段と、
前記記憶手段に記憶されている消去対象の画像データを、その復元情報を有する各プレーンの先頭データのみを消去することにより復元不可能とする消去手段と、
を備えたことを特徴とする画像処理装置。
【請求項２】
揮発性の記憶手段を備え、
前記揮発性の記憶手段に、前記ＪＢＩＧ形式で圧縮された画像データの前記先頭データのみが記憶され、前記不揮発性の記憶手段には、先頭データを消去した状態で画像データが記憶され、
前記消去手段は、前記揮発性の記憶手段に記憶されている先頭データを消去することにより、前記不揮発性の記憶手段に記憶されている画像データを復元不可能とする請求項１に記載の画像処理装置。
【請求項３】
前記ＪＢＩＧ形式で圧縮された画像データを、先頭データを消去した状態で前記不揮発性の記憶手段に記憶させるモードと、先頭データを消去することなく前記不揮発性の記憶手段に記憶させるモードとを切り替える切り替え手段を備えている請求項２に記載の画像処理装置。
【請求項４】
前記切り替え手段は、画像データの属性に応じて前記モードを切り替える請求項３に記載の画像処理装置。
【請求項５】
前記圧縮・伸張手段は、画像データを、その消去に際して全データ領域を削除する必要があるデータ形式で圧縮及び伸張可能である請求項１に記載の画像処理装置。
【請求項６】
画像データが、その消去に際して全データ領域を削除する必要があるデータ形式で圧縮されたときのデータ消去に要する時間と、ＪＢＩＧ形式で圧縮されたときの先頭データの消去に要する時間とを比較する消去時間比較手段と、
前記２つのデータ形式のうち、消去に要する時間の短い方の形式で圧縮された画像データを不揮発性記憶手段に記憶させる制御手段と、
を備えている請求項５に記載の画像処理装置。
【請求項７】
画像データをＪＢＩＧ形式で圧縮及び伸張が可能な圧縮・伸張手段と、
前記圧縮・伸張手段によりＪＢＩＧ形式で圧縮された画像データを記憶する不揮発性の画像データ記憶手段と、
前記画像データ記憶手段に記憶されている画像データの復元情報を有する各プレーンの先頭データについての情報を管理する管理データを記憶する管理データ記憶手段と、
前記画像データ記記憶手段に記憶されている消去対象の画像データを、前記管理データ記憶手段に記憶されている管理データを消去することにより復元不可能とする消去手段と、
を備えたことを特徴とする画像処理装置。
【請求項８】
前記管理データはジョブ単位で作成され管理される請求項７に記載の画像処理装置。
【請求項９】
管理データ記憶手段として、揮発性の記憶手段と不揮発性の記憶手段を備えるとともに、
前記揮発性の管理データ記憶手段に管理データを記憶させるモードと、前記不揮発性の管理データ記憶手段に管理データを記憶させるモードとを切り替える切り替え手段を備えている請求項７に記載の画像処理装置。
【請求項１０】
前記切り替え手段は、画像データの属性に応じて前記モードを切り替える請求項９に記載の画像処理装置。
【請求項１１】
画像データをＪＢＩＧ形式で圧縮された状態で不揮発性の記憶手段に記憶させるステップと、
前記記憶手段に記憶されている消去対象の画像データを、その復元情報を有する各プレーンの先頭データのみを消去することにより復元不可能とするステップと、
を備えたことを特徴とする画像処理方法。
【請求項１２】
揮発性の記憶手段に、前記ＪＢＩＧ形式で圧縮された画像データの前記先頭データのみを記憶させ、前記不揮発性の記憶手段には、先頭データを消去した状態で画像データを記憶させ、
前記揮発性の記憶手段に記憶されている先頭データを消去することにより、前記不揮発性の記憶手段に記憶されている画像データを復元不可能とする請求項１１に記載の画像処理方法。
【請求項１３】
前記ＪＢＩＧ形式で圧縮された画像データを、先頭データを消去した状態で前記不揮発性の記憶手段に記憶させるモードと、先頭データを消去することなく前記不揮発性の記憶手段に記憶させるモードとを切り替える切り替えステップを備えている請求項１２に記載の画像処理方法。
【請求項１４】
前記切り替えステップでは、画像データの属性に応じて前記モードを切り替える請求項１３に記載の画像処理方法。
【請求項１５】
画像データを、その消去に際して全データ領域を削除する必要があるデータ形式で圧縮したときのデータ消去に要する時間と、ＪＢＩＧ形式で圧縮したときの先頭データの消去に要する時間とを比較するステップと、
前記２つのデータ形式のうち、消去に要する時間の短い方の形式で画像データを不揮発性記憶手段に記憶させるステップと、
を備えている請求項１１に記載の画像処理方法。
【請求項１６】
ＪＢＩＧ形式で圧縮された画像データを不揮発性の画像データ記憶手段に記憶させるステップと、
前記画像データ記憶手段に記憶されている画像データの復元情報を有する各プレーンの先頭データについての情報を管理する管理データを管理データ記憶手段に記憶させるステップと、
前記画像データ記憶手段に記憶されている消去対象の画像データを、前記管理データ記憶手段に記憶されている管理データを消去することにより復元不可能とするステップと、
を備えたことを特徴とする画像処理方法。
【請求項１７】
揮発性の管理データ記憶手段に管理データを記憶させるモードと、不揮発性の管理データ記憶手段に管理データを記憶させるモードとを切り替える切り替えステップを備えている請求項１６に記載の画像処理方法。
【請求項１８】
前記切り替えステップでは、画像データの属性に応じて前記モードを切り替える請求項１７に記載の画像処理方法。
【発明の詳細な説明】
【技術分野】
【０００１】
この発明は、画像データを記憶装置に格納して保存するとともに、保存した画像データを消去することができる機能を備えた画像処理装置及び画像処理方法に関する。
【背景技術】
【０００２】
近年の画像処理装置、例えば、複写機、ファクシミリ、あるいは複写機能、プリンタ機能、スキャナ機能、ファクシミリ機能などの多機能を備えた複合機であるＭＦＰ（Multi Function Peripheral）等に用いられる画像処理装置では、入力されたジョブの画像データを大量に蓄積するため、ハードディスク装置等の容量の大きな不揮発性の記憶装置を備えたものが提供されている。
【０００３】
このような記憶装置を備えた画像処理装置では、記憶装置に格納保存された画像データは、何回でも読み出して利用することができる。
【０００４】
ところで、記憶装置に転送される画像データには、ジョブのモードに応じて記憶装置に蓄積状態で残しておく必要のないものがある。例えば、通常のコピージョブや外部コンピュータなどから送信されたプリントジョブ等の画像データが該当するが、このような画像データであっても、記憶装置に一旦格納されるものとなされている。また、記憶装置に蓄積状態で残しておいた画像データであっても、のちに不要になったために消去したい場合がある。
【０００５】
そこで、下記特許文献１には、記憶装置に記憶された画像データを任意に消去可能に構成し、あるいは所定時間経過後に自動的に消去させるようにした画像処理装置が提案されている。
【特許文献１】特開平９−２８４５１８号
【発明の開示】
【発明が解決しようとする課題】
【０００６】
しかしながら、上記従来の技術では、記憶されている画像データを復元不可能に消去する場合には、画像データの全領域に消去用のデータを上書きすることが行われていた。このため、画像データの消去のための記憶装置へのアクセス時間が大きくなり、消去処理中には他の画像データの読み出しや書き込み処理が行えないために、装置の生産性が低下するというような問題があった。
【０００７】
この発明は、このような問題を解決するためになされたものであって、記憶装置に記憶されている画像データの消去に際して、消去処理時間を短くして、装置の生産性を向上した画像処理装置を提供し、さらには画像処理方法を提供することを課題とする。
【課題を解決するための手段】
【０００８】
上記課題を解決するために、この発明は次の手段を提供する。
（１）  画像データをＪＢＩＧ形式で圧縮及び伸張が可能な圧縮・伸張手段と、前記圧縮・伸張手段によりＪＢＩＧ形式で圧縮された画像データを記憶する不揮発性の記憶手段と、前記記憶手段に記憶されている消去対象の画像データを、その復元情報を有する各プレーンの先頭データのみを消去することにより復元不可能とする消去手段と、を備えたことを特徴とする画像処理装置。
【０００９】
この画像処理装置では、画像データはＪＢＩＧ形式で圧縮され不揮発性の記憶手段に記憶される。ＪＢＩＧ形式で圧縮された画像データはプレーンを備え、各プレーンの先頭に位置する先頭データに、復元に必要な情報が書き込まれている。そこで、この先頭データを消去手段が消去することにより、画像データの全域を消去しなくても画像データの復元が不可能となる。このように、画像データを復元不可能とするために、先頭データのみを消去すればよいから、画像データの全領域を消去する場合に較べて消去処理時間が短縮される。
（２）揮発性の記憶手段を備え、前記揮発性の記憶手段に、前記ＪＢＩＧ形式で圧縮された画像データの前記先頭データのみが記憶され、前記不揮発性の記憶手段には、先頭データを消去した状態で画像データが記憶され、前記消去手段は、前記揮発性の記憶手段に記憶されている先頭データを消去することにより、前記不揮発性の記憶手段に記憶されている画像データを復元不可能とする前項１に記載の画像処理装置。
【００１０】
この画像処理装置では、装置に停電が発生したり不用意に電源が遮断された場合には、揮発性の記憶手段に記憶されている先頭データが消失するから、不揮発性の記憶手段に記憶されている画像データは復元不可能となる。従って、停電や電源遮断後に消去対象の画像データが不揮発性の記憶手段に復元可能に残存するのを防止できる。
（３）前記ＪＢＩＧ形式で圧縮された画像データを、先頭データを消去した状態で前記不揮発性の記憶手段に記憶させるモードと、先頭データを消去することなく前記不揮発性の記憶手段に記憶させるモードとを切り替える切り替え手段を備えている前項２に記載の画像処理装置。
【００１１】
この画像処理装置では、不揮発性の記憶手段に保存しておくべき画像データについては、先頭データを消去することなく前記不揮発性の記憶手段に記憶させることにより、停電や電源遮断が生じても、画像データを読み出して復元させることができる。一方、消去対象の画像データについては、先頭データを消去した状態で前記不揮発性の記憶手段に記憶させることで、停電や電源遮断により揮発性の記憶手段に記憶されている先頭データが消失するから、不揮発性の記憶手段に記憶されている画像データは復元不可能となる。
（４）前記切り替え手段は、画像データの属性に応じて前記モードを切り替える前項３に記載の画像処理装置。
（５）前記圧縮・伸張手段は、画像データを、その消去に際して全データ領域を削除する必要があるデータ形式で圧縮及び伸張が可能である前項１に記載の画像処理装置。
【００１２】
この場合には、ＪＢＩＧ形式での圧縮及びその伸張の他、全データ領域を削除する必要があるデータ形式での圧縮及び伸張も可能となる。
（６）画像データが、その消去に際して全データ領域を削除する必要があるデータ形式で圧縮されたときのデータ消去に要する時間と、ＪＢＩＧ形式で圧縮されたときの先頭データの消去に要する時間とを比較する消去時間比較手段と、前記２つのデータ形式のうち、消去に要する時間の短い方の形式で圧縮された画像データを不揮発性記憶手段に記憶させる制御手段と、を備えている前項５に記載の画像処理装置。
【００１３】
この画像処理装置では、消去に際して全データ領域を削除する必要があるデータ形式で圧縮されたときのデータ消去に要する時間と、ＪＢＩＧ形式で圧縮されたときの先頭データの消去に要する時間とが比較され、そのうちの消去に要する時間の短い方の形式で圧縮された画像データが不揮発性記憶手段に記憶される。
（７）画像データをＪＢＩＧ形式で圧縮及び伸張が可能な圧縮・伸張手段と、前記圧縮・伸張手段によりＪＢＩＧ形式で圧縮された画像データを記憶する不揮発性の画像データ記憶手段と、前記画像データ記憶手段に記憶されている画像データの復元情報を有する各プレーンの先頭データについての情報を管理する管理データを記憶する管理データ記憶手段と、前記画像データ記憶手段に記憶されている消去対象の画像データを、前記管理データ記憶手段に記憶されている管理データを消去することにより復元不可能とする消去手段と、を備えたことを特徴とする画像処理装置。
【００１４】
この画像処理装置では、画像データの復元情報を有する各プレーンの先頭データについての情報を管理する管理データが消去されると、先頭データについての情報が消去されるから、画像データ記憶手段に記憶されている消去対象の画像データの先頭データへのアクセスができなくなり、復元不可能となる。
（８）前記管理データはジョブ単位で作成され管理される前項７に記載の画像処理装置。
（９）管理データ記憶手段として、揮発性の記憶手段と不揮発性の記憶手段を備えるとともに、前記揮発性の管理データ記憶手段に管理データを記憶させるモードと、前記不揮発性の管理データ記憶手段に管理データを記憶させるモードとを切り替える切り替え手段を備えている前項７に記載の画像処理装置。
【００１５】
この画像処理装置では、管理データを不揮発性の記憶手段に記憶させた場合には、停電や電源遮断が生じても、管理データは消えないから、画像データを読み出して復元させることができる。一方、管理データを揮発性の記憶手段に記憶させた場合には、停電や電源遮断により管理データが消失するから、画像データは復元不可能となる。このようなモードを切り替え手段により、切り替えることができる。
（１０）前記切り替え手段は、画像データの属性に応じて前記モードを切り替える前項９に記載の画像処理装置。
（１１）画像データをＪＢＩＧ形式で圧縮された状態で不揮発性の記憶手段に記憶させるステップと、前記記憶手段に記憶されている消去対象の画像データを、その復元情報を有する各プレーンの先頭データのみを消去することにより復元不可能とするステップと、を備えたことを特徴とする画像処理方法。
（１２）揮発性の記憶手段に、前記ＪＢＩＧ形式で圧縮された画像データの前記先頭データのみを記憶させ、前記不揮発性の記憶手段には、先頭データを消去した状態で画像データを記憶させ、前記揮発性の記憶手段に記憶されている先頭データを消去することにより、前記不揮発性の記憶手段に記憶されている画像データを復元不可能とする前項１１に記載の画像処理方法。
（１３）前記ＪＢＩＧ形式で圧縮された画像データを、先頭データを消去した状態で前記不揮発性の記憶手段に記憶させるモードと、先頭データを消去することなく前記不揮発性の記憶手段に記憶させるモードとを切り替える切り替えステップを備えている前項１２に記載の画像処理方法。
（１４）前記切り替えステップでは、画像データの属性に応じて前記モードを切り替える前項１３に記載の画像処理方法。
（１５）画像データを、その消去に際して全データ領域を削除する必要があるデータ形式で圧縮したときのデータ消去に要する時間と、ＪＢＩＧ形式で圧縮したときの先頭データの消去に要する時間とを比較するステップと、前記２つのデータ形式のうち、消去に要する時間の短い方の形式で画像データを不揮発性記憶手段に記憶させるステップと、を備えている前項１１に記載の画像処理方法。
（１６）ＪＢＩＧ形式で圧縮された画像データを不揮発性の画像データ記憶手段に記憶させるステップと、前記画像データ記憶手段に記憶されている画像データの復元情報を有する各プレーンの先頭データについての情報を管理する管理データを管理データ記憶手段に記憶させるステップと、前記画像データ記憶手段に記憶されている消去対象の画像データを、前記管理データ記憶手段に記憶されている管理データを消去することにより復元不可能とするステップと、を備えたことを特徴とする画像処理方法。
（１７）揮発性の管理データ記憶手段に管理データを記憶させるモードと、不揮発性の管理データ記憶手段に管理データを記憶させるモードとを切り替える切り替えステップを備えている前項１６に記載の画像処理方法。
（１８）前記切り替えステップでは、画像データの属性に応じて前記モードを切り替える前項１７に記載の画像処理方法。
【発明の効果】
【００１６】
請求項１に係る発明によれば、画像データを復元不可能とするために、先頭データのみを消去すればよいから、画像データの全領域を消去する場合に較べて消去処理時間を短縮でき、その分画像データの新たな読み込みや出力の早期開始が可能となり、生産性が向上する。勿論、画像データは復元不可能となされるため、セキュリティは確保される。
【００１７】
請求項２に係る発明によれば、装置に停電が発生したり不用意に電源が遮断された場合には、揮発性の記憶手段に記憶されている先頭データが消失するから、不揮発性の記憶手段に記憶されている画像データは復元不可能となる。従って、停電や電源遮断後に消去対象の画像データが不揮発性の記憶手段に復元可能に残存するのを防止でき、画像データが悪用されることによるトラブルを防止することができ、さらに高いセキュリティを確保できる。
【００１８】
請求項３に係る発明によれば、不揮発性の記憶手段に保存しておくべき画像データについては、先頭データを消去することなく前記不揮発性の記憶手段に記憶させることで、停電や不用意な電源遮断が生じても画像データを復元可能にでき、保存の必要のない画像データについては、モードを切り替えて、先頭データを消去した状態で前記不揮発性の記憶手段に記憶させることにより、停電や電源遮断時に画像データが復元可能に残ることを防止でき、より実用に即した画像処理装置となし得る。
【００１９】
請求項４に係る発明によれば、画像データの属性に応じてモード切り替えを行うから、モード切り替えの判断を適正にかつ自動的に行うことができる。
【００２０】
請求項５に係る発明によれば、ＪＢＩＧ形式での圧縮及びその伸張の他、全データ領域を削除する必要があるデータ形式での圧縮及び伸張も可能となる。
【００２１】
請求項６に係る発明によれば、消去に際して全データ領域を削除する必要があるデータ形式で圧縮されたときのデータ消去に要する時間と、ＪＢＩＧ形式で圧縮されたときの先頭データの消去に要する時間のうちの短い方の形式で圧縮された画像データが不揮発性記憶手段に記憶されるから、その画像データの消去時間を確実に短くできる。
【００２２】
請求項７に係る発明によれば、画像データを復元不可能とするために、画像データの復元情報を有する各プレーンの先頭データについての情報を管理する管理データのみを消去すればよいから、画像データの全領域を消去する場合に較べて消去処理時間を短縮でき、その分画像データの新たな読み込みや出力の早期開始が可能となり、生産性が向上する。また、画像データは復元不可能となされるため、セキュリティは確保される。
【００２３】
請求項８に係る発明によれば、管理データはジョブ単位で作成され管理されるから、画像データを消去する場合の対応管理データの特定や扱いが容易となる。
【００２４】
請求項９に係る発明によれば、保存しておくべき画像データについては、管理データを不揮発性の記憶手段に記憶させることで、停電や不用意な電源遮断が生じても画像データを復元可能にでき、保存の必要のない画像データについては、モードを切り替えて、管理データを揮発性の記憶手段に記憶させることにより、停電や電源遮断時に画像データが復元可能に残ることを防止でき、より実用に即した画像処理装置となし得る。
【００２５】
請求項１０に係る発明によれば、画像データの属性に応じてモード切り替えを行うから、モード切り替えの判断を適正にかつ自動的に行うことができる。
【００２６】
請求項１１に係る発明によれば、画像データを復元不可能とするために、先頭データのみを消去すればよいから、画像データの全領域を消去する場合に較べて消去処理時間を短縮でき、その分画像データの新たな読み込みや出力の早期開始が可能となり、生産性が向上する。
【００２７】
請求項１２に係る発明によれば、停電や電源遮断後に消去対象の画像データが不揮発性の記憶手段に復元可能に残存するのを防止でき、画像データが悪用されることによるトラブルを防止することができ、さらに高いセキュリティを確保できる。
【００２８】
請求項１３に係る発明によれば、モードの切り替えにより、保存しておくべき画像データについては復元可能にでき、保存しておく必要のない画像データについては停電や電源遮断時に画像データが復元可能に残ることを防止でき、より実用に即した画像処理装置となし得る。
【００２９】
請求項１４に係る発明によれば、画像データの属性に応じてモード切り替えを行うから、モード切り替えの判断を適正にかつ自動的に行うことができる。
【００３０】
請求項１５に係る発明によれば、消去に際して全データ領域を削除する必要があるデータ形式で圧縮されたときのデータ消去に要する時間と、ＪＢＩＧ形式で圧縮されたときの先頭データの消去に要する時間のうちの短い方の形式で圧縮された画像データが不揮発性記憶手段に記憶されるから、その画像データの消去時間を確実に短くできる。
【００３１】
請求項１６に係る発明によれば、画像データを復元不可能とするために、画像データの復元情報を有する各プレーンの先頭データについての情報を管理する管理データのみを消去すればよいから、画像データの全領域を消去する場合に較べて消去処理時間を短縮でき、生産性が向上する。
【００３２】
請求項１７に係る発明によれば、保存しておくべき画像データについては、管理データを不揮発性の記憶手段に記憶させることで、停電や不用意な電源遮断が生じても画像データを復元可能にでき、保存の必要のない画像データについては、モードを切り替えて、管理データを揮発性の記憶手段に記憶させることにより、停電や電源遮断時に画像データが復元可能に残ることを防止でき、より実用に即した画像処理装置となし得る。
【００３３】
請求項１８に係る発明によれば、画像データの属性に応じてモード切り替えを行うから、モード切り替えの判断を適正にかつ自動的に行うことができる。
【発明を実施するための最良の形態】
【００３４】
以下、この発明の一実施形態を説明する。
【００３５】
図１は、この発明の一実施形態に係る画像処理装置１の概略構成を示すブロック図である。
【００３６】
この画像処理装置１は、入力インターフェース部（図面では入力ＩＦと記す）２と、出力インターフェース部（図面では出力ＩＦと記す）３と、揮発性の第１ＲＡＭ４と、圧縮・伸張部５と、揮発性の第２ＲＡＭ６と、ハードディスク装置（図面ではＨＤＤと記す）７と、ＣＰＵ８とを備えている。
【００３７】
前記入力インターフェース部２は、例えば原稿読み取り装置、ＦＡＸ装置、コンピュータ等の外部装置から送られてきた画像データを受信するものである。
【００３８】
前記出力インターフェース部３は、前記ハードディスク装置７等に記憶されている画像データを前記外部装置に送信するものである。
【００３９】
前記第１ＲＡＭ４は、外部から入力された画像データや外部に出力する画像データを、一旦記憶するものであり、バッファメモリとして機能する。
【００４０】
前記圧縮・伸張部５は、外部から入力された画像データを圧縮し、またハードディスク装置７から読み出された圧縮画像データを伸張するものである。この実施形態では、圧縮・伸張部５は、画像データをＪＢＩＧ（Joint Bi-lebel Image experts Group：二値画像符号化の標準）形式で圧縮し、伸張するものとなされている。
【００４１】
前記第２ＲＡＭ６は、前記圧縮・伸張部５によって圧縮された画像データや、ハードディスク装置７から読み出された圧縮画像データを一旦記憶するものである。
【００４２】
なお、第１ＲＡＭ４と第２ＲＡＭ６とは別々のＲＡＭで構成しても良いし、一つのＲＡＭで構成しても良い。
【００４３】
前記ハードディスク装置７は、画像データを格納保存する不揮発性の記憶手段として機能するものであり、記憶された画像データは画像処理装置１の電源をオフにしても消去されることはない。
【００４４】
前記ＣＰＵ８は、第１、第２のＲＡＭ４、６やハードディスク装置７に対する画像データの書き込み動作や読み出し動作の制御、画像データの消去に関する制御、圧縮・伸張部５に対する圧縮動作や伸張動作の制御等、画像処理装置１の全体を統括的に制御する。
【００４５】
そのほか、ＣＰＵ８は、各種の機能を有する。例えば、画像データがファクシミリによる送信あるいは受信データか否か、ハードディスク装置７への蓄積モードの画像データであるか否か等のように、画像データの属性を判断したり、その属性に応じて、画像データのハードディスク装置７への記憶モードを切り替える等の機能を有する。
【００４６】
上記のようなＣＰＵ８による制御や機能は、ハードディスク装置７あるいはその他の記憶媒体、たとえば図示しないＲＯＭ、ＣＤ−ＲＯＭ、光磁気ディスク等に記録された画像処理プログラムの内容を、ＣＰＵ８が実行することにより実現される。
【００４７】
図１に示した画像処理装置１において、ハードディスク装置７への画像登録を行うときは、画像処理装置１は入力インターフェース部２を介して外部から入力された画像データを、バッファメモリである第１ＲＡＭ４に一旦格納する。
【００４８】
第１ＲＡＭ４に格納された画像データは、圧縮・伸張部５によりＪＢＩＧ形式で圧縮される。圧縮された画像データは第２ＲＡＭ６に記憶される。そして、第２ＲＡＭ６に記憶された前記圧縮画像データは、ハードディスク装置７へ転送され、装置の電源がオフにされても記憶が消失することはない。
【００４９】
また、画像データの出力を行うときは、ハードディスク装置７から圧縮された画像データは読み出されて第２ＲＡＭ６へ転送される。転送された圧縮画像データは、圧縮・伸張部５によって伸張され、バッファメモリである第１ＲＡＭ４に格納される。そして、伸張された画像データが出力インターフェース部３から外部へ転送されるものとなされている。
【００５０】
前述したように、圧縮・伸張部５はＪＢＩＧ形式で圧縮・伸張を行う機能を有している。ＪＢＩＧ圧縮された画像データの構成図を図２に示す。
【００５１】
ＪＢＩＧ圧縮された画像データは、プレーン構成となされている。そして、各プレーンの先頭部に位置するデータ（先頭データ）に、伸張する際に必要な情報が格納されており、これが消去（破壊）されると画像を伸張し、復元することは不可能となる。
【００５２】
圧縮・伸張部５により画像データがＪＢＩＧ圧縮されて第２ＲＡＭ６へ格納されると同時に、各プレーンの先頭の集約データを含む圧縮画像管理データが作成される。
【００５３】
圧縮画像管理データの構成を図３に示す。圧縮画像管理データには、各ジョブ毎にページ情報と集約データの各領域が設けられている。ページ情報の領域には、各ページの圧縮データ開始アドレス、圧縮データサイズ、圧縮データ形式に関する情報が格納されている。集約データはジョブ単位で管理されており、各プレーンの先頭データ開始アドレスと先頭データのサイズについての情報が格納されており、この集約データにより、先頭データの格納エリアを特定できるものとなされている。
【００５４】
また、ＪＢＩＧ圧縮された画像データを第２ＲＡＭ６からハードディスク装置７へ転送するときに、ジョブのモード情報に応じて、ＪＢＩＧ圧縮画像データの各プレーンの先頭データを第２ＲＡＭ６にのみ記憶させ、ハードディスク装置７には先頭データを上書きにより消去した圧縮画像データを転送するか、先頭データを上書き消去することなくハードディスク装置７へ転送するかが決定される。
【００５５】
コピージョブやプリントジョブなどの画像データのように、画像処理装置１の電源がオフされたときに画像データを復元できなくてもかまわないものは、第２ＲＡＭ６上に先頭データを記憶し、ハードディスク装置７へは先頭データを上書きして消去した圧縮画像データを転送する。電源がオフされると、揮発性の記憶手段である第２ＲＡＭ６に記憶されていた先頭データは消えてしまい、ハードディスク装置７に残っている圧縮画像データの先頭データはもともと消去されているから、前記圧縮画像データの復元は不可能な状態となる。
【００５６】
一方、コピージョブやプリントジョブで画像データをハードディスク装置７へ蓄積するモードの設定がされていたり、ファクシミリで受信しあるいは送信する画像データのように、画像処理装置１の電源がオフされたときに消去されては困る画像データに対しては、先頭データを上書きにより消去することなくそのままの状態で圧縮画像データをハードディスク装置７へ転送し、記憶しておく。
【００５７】
このように画像データの属性に応じて、先頭データを消去した状態でハードディスク装置７に記憶させるモードと、先頭データを消去することなく記憶させるモードとを切り替えるが、圧縮画像管理データには図３に示すように、先頭データを上書きしているか否かについての情報も記録しておく。そして、圧縮画像管理データもハードディスク装置７へ記憶しておくことにより、画像処理装置１の電源がオフされても、圧縮画像管理データと画像データはともにハードディスク装置７に記憶されているので、画像データを復元することが可能である。
【００５８】
図４は、ユーザから画像データの登録指示があったときに、ＣＰＵ８の制御のもとで行われる登録処理を示すフローチャートである。なお、図４及び以下のフローチャートに示す処理は、ＣＰＵ８が記録媒体に記録されたプログラムに従って動作することにより実行される。また、以下の説明及び図面において、ステップを「Ｓ」と略記する。
【００５９】
ユーザによる登録指示があると、Ｓ１でＣＰＵ８は、圧縮・伸張部５にＪＢＩＧ形式で登録対象の画像データを圧縮させる。
【００６０】
次に、Ｓ２で、画像データがファクシミリジョブの画像データであるか否かを判断する。ファクシミリジョブの画像データである場合には（Ｓ２の判断がＹＥＳ）、電源がオフになっても画像データを復元させる必要があるので、Ｓ６に進み、各プレーンの先頭データを消去することなくそのまま画像データを第２ＲＡＭ６を介してハードディスク装置７に転送して記憶させる。
【００６１】
Ｓ２において、画像データがファクシミリジョブの画像データでない場合には（Ｓ２の判断がＮＯ）、Ｓ３に進み、画像データがハードディスク装置７への蓄積モードの画像データであるか否かを判断する。
【００６２】
蓄積モードの画像データであれば（Ｓ３の判断がＹＥＳ）、電源がオフになっても画像データを復元させる必要があるので、Ｓ６に進み、各プレーンの先頭データを消去することなくそのまま画像データをハードディスク装置７に転送して記憶させる。
【００６３】
このような処理により、ファクシミリ送信あるいは受信画像データ及び、ハードディスク装置７への蓄積モードの画像データが、復元可能にハードディスク装置７に格納される。
【００６４】
Ｓ３で、ハードディスク装置７への蓄積モードでない場合には（Ｓ３の判断がＮＯ）、その画像データは電源がオフになると復元不可能となっても良い画像データであるから、Ｓ４で、各プレーンの先頭データを第２ＲＡＭ６に記憶したのち、Ｓ５で先頭データを消去用データの上書きにより消去した状態とし、Ｓ６で、この先頭データを消去された画像データをハードディスク装置７に転送して記憶させる。この場合には、電源がオフになると揮発性の記憶手段である第２ＲＡＭ６に記憶されている先頭データが消去されるから、ハードディスク装置７に記憶された画像データは復元不可能となる。これにより、無用な画像データがハードディスク装置７に復元可能に残存するのを防止でき、セキュリティを高めることができる。
【００６５】
このように、画像データの属性に応じて、記憶モードを切り替えることにより、画像データの属性に応じた好適な記憶モードで画像データをハードディスク装置７に記憶させることができる。
【００６６】
図５は、ユーザからハードディスク装置７に記憶されている画像データの出力指示があったときの出力処理を示すフローチャートである。
【００６７】
ユーザによる画像データの出力指示があると、Ｓ１１でＣＰＵ８は、指定された圧縮画像データをハードディスク装置７から第２ＲＡＭ６へ転送する。
【００６８】
次に、Ｓ１２で、圧縮管理画像データに含まれる集約データに基づいて、圧縮画像データの各プレーンの先頭データが上書きされているかを判断する。上書きされていたならば（Ｓ１２の判断がＹＥＳ）、Ｓ１３で、第２ＲＡＭ６に記憶されている各プレーンの先頭データを圧縮画像データに復帰させる。そして、Ｓ１４で、圧縮・伸張部５により伸張を施して第１ＲＡＭ４へ転送する。
【００６９】
Ｓ１２において、先頭データが上書きされていなかったならば（Ｓ１２の判断がＮＯ）、Ｓ１４に進んで、圧縮・伸張部５にそのまま圧縮画像データを伸張させて第１ＲＡＭ４へ転送する。
【００７０】
次にＳ１５に進み、第１ＲＡＭ４に転送された画像データを、出力インターフェース部３から外部へ出力させる。
【００７１】
図６は、ユーザから画像データの消去指示があったときの画像データの消去処理を示すフローチャートである。
【００７２】
前記画像データの消去指示を受けると、ＣＰＵ８はＳ２１で、指定されたジョブの圧縮画像管理データに含まれる集約データを読み出し、画像データが先頭データを上書きしてからハードディスク装置７へ転送されたものであるか否か、を判断する。
【００７３】
上書されていたならば（Ｓ２１の判断がＹＥＳ）、Ｓ２２で、第２ＲＡＭ６上に記憶されている先頭データを上書きして消去する。これにより、画像データを復元不可能な状態にすることができる。一方、上書きされていなければ（Ｓ２１の判断がＮＯ）、先頭データは消去されていないので、Ｓ２３に進み、ハードディスク装置７に記憶されている圧縮画像データの先頭データを上書きして消去し、画像データを復元不可能な状態にする。
【００７４】
このように、ハードディスク装置７に記憶されている画像データを消去する場合には、先頭データに消去用データを上書きすれば良く、画像データの全領域に上書きする必要はなくなるから、消去処理時間の短縮化が図れる。従って、消去処理の実行により他の処理の実行が妨げられる時間が短くなり、画像処理装置の生産性が向上する。
【００７５】
図７及び図８はこの発明の他の実施形態を示すものであり、図７はＣＰＵ８の制御のもとで行われる画像データの登録処理を示すフローチャート、図８はユーザから画像データの消去指示があったときの画像データの消去処理を示すフローチャートである。
【００７６】
この実施形態では、前記圧縮・伸張部５は、画像データをＪＢＩＧ形式で圧縮・伸張できるのみならず、画像データの消去に際して全データ領域を上書きにより削除する必要があるデータ形式で圧縮・伸張できるものとなされている。このような、消去に際して全データ領域を削除する必要があるデータ形式の一例としては、ＪＰＥＧ（Joint Photographic Experts Group）やＰＤＦ（Portable Document Format）等のデータ形式を挙げることができるが、以下の説明ではＪＰＥＧを例示する。
【００７７】
また、ＣＰＵ８は、ＪＰＥＧに圧縮された画像データの全領域を削除（上書き）して画像データを消去する時間と、ＪＢＩＧ形式で圧縮された同一の画像データについて先頭データの消去に要する時間とを比較する消去時間比較手段として機能すると共に、消去に要する時間の短い方の形式で圧縮された画像データをハードディスク装置７に記憶させる。
【００７８】
以下、図７及び図８について説明する。
【００７９】
図７のＳ３１で、ＣＰＵ８は圧縮・伸張部５にＪＢＩＧ形式及びＪＰＥＧ形式の両形式で画像データを圧縮させる。
【００８０】
次に、Ｓ３２でＣＰＵ８は、ＪＰＥＧに圧縮された画像データの全領域を削除して画像データを消去する時間が、ＪＢＩＧ形式で圧縮された同一の画像データについて先頭データの消去に要する時間とよりも短いか否かを判断する。ＪＰＥＧ圧縮データの消去時間の方がＪＢＩＧ圧縮データの先頭データ消去時間よりも短かい場合には（Ｓ３２の判断がＹＥＳ）、Ｓ３３にみ、ＪＰＥＧ圧縮データをハードディスク装置７に転送して記憶させる。ＪＢＩＧ圧縮データの先頭データ消去時間の方が短かければ（Ｓ３２の判断がＮＯ）、Ｓ３４にみ、ＪＢＩＧ圧縮データをハードディスク装置７に転送して記憶させる。
【００８１】
次に、登録されている画像データの消去指示を受けた場合には、ＣＰＵ８は図８のＳ４１で、その画像データの圧縮形式がＪＢＩＧ形式であるか否かを判断する。ＪＢＩＧ形式の場合には（Ｓ４１の判断がＹＥＳ）、Ｓ４２でその画像データの先頭データを上書きして消去する。一方、ＪＰＥＧ形式の場合には（Ｓ４１の判断がＮＯ）、Ｓ４３でその画像データの全領域を上書きして消去する。これにより、画像データを復元不可能な状態にすることができる。
【００８２】
この実施形態では、画像データはＪＢＩＧ形式、ＪＰＥＧ形式のうちの消去時間の短い方で登録されているから、消去時間を確実に短縮でき、生産性を向上できる。
【００８３】
図９〜図１２はこの発明のさらに他の実施形態を示すものである。この実施形態では、ＪＢＩＧ形式の画像データを先頭データの消去により消去するのではなく、画像データを管理する管理データを消去することにより画像データを消去するものである。
【００８４】
図９は、この実施形態で作成される圧縮画像管理データの構成を示すものである。図３に示した圧縮画像管理データと異なり、図９の圧縮画像管理データは、ジョブ単位で作成され、管理される。そして、各ジョブ単位の圧縮画像管理データには、図９の圧縮画像管理データと同様に、ページ情報とＪＢＩＧ集約データの各領域が設けられている。ページ情報の領域には、各ページの圧縮データ開始アドレス、圧縮データサイズ、圧縮データ形式に関する情報が格納されている。集約データには各プレーンの先頭データ開始アドレスと先頭データのサイズについての情報が格納されており、この集約データにより、先頭データの格納エリアを特定できるものとなされている。
【００８５】
図１０は、ユーザから画像データの登録指示があったときに、ＣＰＵ８の制御のもとで行われる画像データの登録処理を示すフローチャートである。
【００８６】
ユーザによる登録指示があると、Ｓ５１でＣＰＵ８は、圧縮・伸張部５にＪＢＩＧ形式で登録対象の画像データを圧縮させる。同時に各プレーンの先頭の集約データを含む圧縮画像管理データを第２ＲＡＭ６上で作成する。
【００８７】
次に、Ｓ５２で、圧縮データをハードディスク装置７に転送して記憶させたのち、Ｓ５３で、画像データがファクシミリジョブの画像データであるか否かを判断する。
【００８８】
ファクシミリジョブの画像データである場合には（Ｓ５３の判断がＹＥＳ）、電源がオフになっても画像データを復元させる必要があるので、Ｓ５５に進み、圧縮画像管理データをハードディスク装置７に転送して記憶させる。
【００８９】
Ｓ５３において、画像データがファクシミリジョブの画像データでない場合には（Ｓ５３の判断がＮＯ）、Ｓ５４に進み、画像データがハードディスク装置７への蓄積モードの画像データであるか否かを判断する。
【００９０】
蓄積モードの画像データであれば（Ｓ５４の判断がＹＥＳ）、電源がオフになっても画像データを復元させる必要があるので、Ｓ５５に進み、圧縮画像管理データをハードディスク装置７に転送して記憶させる。
【００９１】
このような処理により、ファクシミリ送信あるいは受信モードの画像データ及び、ハードディスク装置７への蓄積モードの画像データについての圧縮画像管理データがハードディスク装置７に格納される。
【００９２】
Ｓ５４で、ハードディスク装置７への蓄積モードでない場合には（Ｓ５４の判断がＮＯ）、その画像データは電源がオフになると復元不可能となっても良い画像データであるから、第２ＲＡＭ６上で作成された圧縮画像管理データは、ハードディスク装置７に転送されることなく、第２ＲＡＭ６上にそのまま記憶保持される。
【００９３】
この場合には、電源がオフになると揮発性の記憶手段である第２ＲＡＭ６に記憶されている圧縮画像管理データが消去されるから、ハードディスク装置７に記憶された画像データは復元不可能となる。これにより、無用な画像データがハードディスク装置７に復元可能に残存するのを防止でき、セキュリティを高めることができる。
【００９４】
このように、画像データの属性に応じて、圧縮画像管理データの記憶モードを切り替えることにより、画像データの属性に応じた好適な画像データ管理を行うことができる。
【００９５】
図１１は、ユーザからハードディスク装置７に記憶されている画像データの出力指示があったときの出力処理を示すフローチャートである。
【００９６】
ユーザによる指定画像データの出力指示があると、Ｓ６１でＣＰＵ８は、指定された画像データについての圧縮画像管理データがハードディスク装置７に記憶されているのか、第２ＲＡＭ６上に保持されているのかを判断する。圧縮画像管理データがハードディスク装置７に記憶されている場合には（Ｓ６１の判断がＹＥＳ）、Ｓ６２に進み、ハードディスク装置７から圧縮画像管理データを読み出した後、Ｓ６３に進む。圧縮画像管理データがハードディスク装置７に記憶されていない場合換言すれば第２ＲＡＭ６上に保持されているいる場合には（Ｓ６１の判断がＮＯ）、そのままＳ６３に進む。
【００９７】
Ｓ６３では、圧縮画像管理データに基づいて、ハードディスク装置７から先頭データを含む画像データを読み出して第２ＲＡＭ６へ転送する。
【００９８】
次に、Ｓ６４に進んで、圧縮・伸張部５によって圧縮画像データに伸張を施し第１ＲＡＭ４へ転送する。
【００９９】
次にＳ６５に進み、第１ＲＡＭ４に転送された画像データを、出力インターフェース部３から外部へ出力させる。
【０１００】
図１２は、ユーザから画像データの消去指示があったときの画像データの消去処理を示すフローチャートである。
【０１０１】
前記画像データの消去指示を受けると、ＣＰＵ８はＳ７１で、指定された画像データについての圧縮画像管理データがハードディスク装置７に記憶されているのか、第２ＲＡＭ６内に保持されているのかを判断する。圧縮画像管理データがハードディスク装置７に記憶されている場合には（Ｓ７１の判断がＹＥＳ）、Ｓ７２で、ハードディスク装置７内の対応する圧縮画像管理データを上書きして消去する。
【０１０２】
一方、圧縮画像管理データがハードディスク装置７に記憶されていない場合換言すれば第２ＲＡＭ６内に保持されている場合には（Ｓ７１の判断がＮＯ）、Ｓ７３で、第２ＲＡＭ６内の対応する圧縮画像管理データを上書きして消去する。
【０１０３】
このように、対応する圧縮画像管理データを上書きして消去することにより、対応する画像データの先頭データへのアクセスが不可能となるから、画像データを復元不可能な状態にすることができる。
【０１０４】
なお、圧縮画像管理データの上書きによる消去は、圧縮画像管理データの全ての領域を上書きしても良いが、少なくとも先頭データの格納エリアを示すＪＢＩＧ集約データ領域を上書きすればよい。
【０１０５】
このように、この実施形態では、圧縮画像管理データを上書きして消去することにより、ハードディスク装置７に記憶されている画像データを復元不可能に消去するから、画像データの全領域に上書きする必要はなくなり、消去処理時間の短縮化が図れる。従って、消去処理の実行により他の処理の実行が妨げられる時間が短くなり、画像処理装置の生産性が向上する。
【０１０６】
以上の実施形態では、画像データを記憶蓄積する不揮発性の記憶手段としてハードディスク装置を用いたが、ハードディスク装置に限定されることはなく、電源がオフになっても記憶状態を保持できる各種の不揮発性の記憶手段を用いればよい。また、ハードディスク装置等の記憶手段は、画像処理装置の本体内に備えられていなくても良く、ネットワーク上に存在する端末の記憶手段に画像データを記憶させる画像処理装置であっても良いし、画像処理装置の構成要素の１つあるいは二つ以上がネットワークを介して接続されたものであっても良い。
【０１０７】
また、上記実施形態には、以下の態様を有する発明が含まれている。
（Ａ）画像データをＪＢＩＧ形式で圧縮された状態で不揮発性の記憶手段に記憶させるステップと、
前記記憶手段に記憶されている消去対象の画像データを、その復元情報を有する各プレーンの先頭データのみを消去することにより復元不可能とするステップと、
をコンピュータに実行させるための画像処理プログラム。
（Ｂ）揮発性の記憶手段に、前記ＪＢＩＧ形式で圧縮された画像データの前記先頭データのみを記憶させ、前記不揮発性の記憶手段には、先頭データを消去した状態で画像データを記憶させ、
前記揮発性の記憶手段に記憶されている先頭データを消去することにより、前記不揮発性の記憶手段に記憶されている画像データを復元不可能とする、
処理をコンピュータに実行させる前項（Ａ）に記載の画像処理プログラム。
（Ｃ）前記ＪＢＩＧ形式で圧縮された画像データを、先頭データを消去した状態で前記不揮発性の記憶手段に記憶させるモードと、先頭データを消去することなく前記不揮発性の記憶手段に記憶させるモードとを切り替える切り替えステップをコンピュータに実行させる前項（Ｂ）に記載の画像処理プログラム。
（Ｄ）前記切り替えステップでは、画像データの属性に応じて前記モードを切り替える前項（Ｃ）に記載の画像処理プログラム。
（Ｅ）画像データを、その消去に際して全データ領域を削除する必要があるデータ形式で圧縮したときのデータ消去に要する時間と、ＪＢＩＧ形式で圧縮したときの先頭データの消去に要する時間とを比較するステップと、
前記２つのデータ形式のうち、消去に要する時間の短い方の形式で画像データを不揮発性記憶手段に記憶させるステップと、
をコンピュータに実行させる前項（Ａ）に記載の画像処理プログラム。
（Ｆ）ＪＢＩＧ形式で圧縮された画像データを不揮発性の画像データ記憶手段に記憶させるステップと、
前記画像データ記憶手段に記憶されている画像データの復元情報を有する各プレーンの先頭データについての情報を管理する管理データを管理データ記憶手段に記憶させるステップと、
前記画像データ記憶手段に記憶されている消去対象の画像データを、前記管理データ記憶手段に記憶されている管理データを消去することにより復元不可能とするステップと、
をコンピュータに実行させるための画像処理プログラム。
（Ｇ）揮発性の管理データ記憶手段に管理データを記憶させるモードと、不揮発性の管理データ記憶手段に管理データを記憶させるモードとを切り替える切り替えステップをコンピュータに実行させる前項（Ｆ）に記載の画像処理プログラム。
（Ｈ）前記切り替えステップでは、画像データの属性に応じて前記モードを切り替える前項（Ｇ）に記載の画像処理プログラム。
【図面の簡単な説明】
【０１０８】
【図１】この発明の一実施形態に係る画像処理装置の概略構成を示すブロック図である。
【図２】ＪＢＩＧ形式で圧縮された画像データの構成を示す説明図である。
【図３】圧縮画像データの管理データを示す説明図である。
【図４】図１の画像処理装置において実行される画像データの登録処理を示すフローチャートである。
【図５】同じく画像データの出力処理を示すフローチャートである。
【図６】同じく画像データの消去処理を示すフローチャートである。
【図７】この発明の他の実施形態に係る画像データの登録処理を示すフローチャートである。
【図８】同じく画像データの消去処理を示すフローチャートである。
【図９】この発明のさらに他の実施形態を示すもので、圧縮画像データの管理データを示す説明図である。
【図１０】同じく画像データの登録処理を示すフローチャートである。
【図１１】同じく画像データの出力処理を示すフローチャートである。
【図１２】同じく画像データの消去処理を示すフローチャートである。
【符号の説明】
【０１０９】
１    画像処理装置
５    圧縮・伸張部
６    第２ＲＡＭ（揮発性記憶手段、管理データ記憶手段）
７    ハードディスク装置（不揮発性記憶手段、画像データ記憶手段、管理デ        ータ記憶手段）
８    ＣＰＵ（消去手段、切り替え手段、消去時間比較手段、制御手段）
【図１】
2005204269.tif 000003
【図２】
2005204269.tif 000004
【図３】
2005204269.tif 000005
【図４】
2005204269.tif 000006
【図５】
2005204269.tif 000007
【図６】
2005204269.tif 000008
【図７】
2005204269.tif 000009
【図８】
2005204269.tif 000010
【図９】
2005204269.tif 000011
【図１０】
2005204269.tif 000012
【図１１】
2005204269.tif 000013
【図１２】
2005204269.tif 000014